(57)【要約】【課題】仮設として用いられてきた矢板を本設として用いることで構造物全体としての耐震性を向上すると共に、コンパクトな基礎構造を提供する。【解決手段】本発明に係る基礎構造は、杭３と杭３の上部を囲むように設置された複数の鋼製矢板５とを備え、鋼製矢板５で囲まれた空間にフーチングコンクリート７を打設してなる基礎構造であって、鋼製矢板５の内面に設けた孔あき鋼板ジベル９と、孔あき鋼板ジベル９に係止して鋼製矢板５の内周方向に沿うように設けられ、各鋼製矢板５の連結を強化するパラレルワイヤー１３とを備えたことを特徴とするものである。【選択図】  図１
2010261253.tif 000002
【特許請求の範囲】
【請求項１】
杭と該杭の上部を囲むように設置された複数の鋼製矢板とを備え、該鋼製矢板で囲まれた空間にフーチングコンクリートを打設してなる基礎構造であって、
前記鋼製矢板の内面に設けた係止部材と、該係止部材に係止して前記鋼製矢板の内周方向に沿うように設けられ、前記各鋼製矢板の連結を強化する連結強化部材とを備えたことを特徴とする基礎構造。
【請求項２】
係止部材は縦方向に複数の孔を有する孔あきジベルであり、連結強化部材は前記孔あきジベルの孔に挿通されたワイヤーであることを特徴とする請求項１に記載の基礎構造。
【請求項３】
前記孔あきジベルに前記ワイヤーを螺旋状になるように挿通させたことを特徴とする請求項２に記載の基礎構造。
【請求項４】
前記孔あきジベルは、該孔の周壁側から前記孔へ前記ワイヤーの挿入を可能にする通路を有していることを特徴とする請求項２又は３に記載の基礎構造。
【請求項５】
ワイヤーはパラレルワイヤーであることを特徴とする請求項２乃至４のいずれか一項に記載の基礎構造。
【請求項６】
鋼製矢板で形成される基礎構造の平面形状が円形であることを特徴とする請求項１乃至５の何れか一項に記載の基礎構造。
【発明の詳細な説明】
【技術分野】
【０００１】
本発明は、道路橋や鉄道橋などの基礎構造に関するものである。
【背景技術】
【０００２】
一般的な橋梁の下部工事は、初めに仮設鋼矢板を打ち込み、次に基礎杭を打設して、床掘りの後、杭頭処理してコンクリートによってフーチングが構築され、フーチングの上に橋脚が構築される。その後、仮設鋼矢板を撤去し、埋め戻して完了する。この施工過程において、仮設鋼矢板の打設、撤去の作業は手間とコストがかかり無駄である。そこで、この鋼矢板を有効に活用する方法が提案されている。
【０００３】
特許文献１（特開2000-129696）は、フーチング構築予定位置の周辺に剛性を持つ矢板によって締め切ると共に、この矢板と結合してフーチングを構築する杭基礎構造である。
この発明では、フーチングの周辺を剛性の大きい矢板で締め切り、剛性の大きい矢板をフーチングに合体した状態で残置する構造としたから、地震時にフーチングに水平方向の荷重が作用しても、その水平荷重は矢板で受け止められ、受働抵抗を大きく採ることができ、水平荷重に対するフーチングの移動量を小さくでき、耐震性を向上させることができる。さらに、施工に要する面積も小さくできるとしている。
【０００４】
特許文献２（特開2007-32065）は、構造物を支持する複数の杭を囲み、この杭に接触しないように仕切る隔壁を地中に設け、構造物から隔離した杭の深さ方向地中部における隔壁内側地盤に薬液を注入して杭相互を連結する固化体を形成した杭基礎補強構造である。
このような構造では、地上或いは地表近傍の構造物と固化体とが鋼矢板により連結され、複数の杭が固化体により深さ方向地中部において拘束され、これにより複数の杭の剛性は高められ、例えば、地震などにより地盤に液状化現象が生じても、杭と構造物の結合部で生じる曲げひずみは大幅に抑制されるとしている。
また、慣用の高圧噴射工法と比較して施工コストを格段に抑制することが可能になり、固化体は地中における隔壁内側に限定的に構築されるものであるため充分な品質確保が可能になるとしている。
【０００５】
特許文献３（特開2007-303099）は、多角形の頂点又は頂点及び辺上に配置された継手を有する杭と、配置された杭間に多角形の辺を形成するように配置された継手を有する鋼矢板とを備え、杭と鋼矢板とが継手により嵌合されて形成されている多角形の内側に、経時硬化性材料が充填されている基礎構造である。
この発明は、隣り合う杭と杭の間に鋼矢板を備え、杭と鋼矢板を嵌合させ、連結材を介してフーチングと一体化させる事で、地震が発生した際には、杭の先端支持力、杭と鋼矢板の周面摩擦力、及び杭と鋼矢板の受働抵抗により、地震により発生した応力に抵抗することができる。さらに、基礎を小型化でき、必要な用地を小さくすることができ、コンクリート等の経時硬化性材料の打設量も少なくすみ、地震時の水平力による回転に対して、基礎を構成する杭の本数、径、及び躯体強度を増大させること無く、また水平力、曲げモーメントによる杭体に発生する応力も減るため杭の板厚を低減でき、低コストで確実性の高い耐震性を発揮させることができるとしている。
【０００６】
特許文献４、５、６（特開2006-57250、特開2006-57251、特開2006-57252）は、鋼矢板併用式直接基礎の施工法においてその作業性を改善するために成された発明であり、予め孔あき鋼板が溶接された複数枚のU字形鋼矢板を順に地盤内に打ち込んで矩形断面状の鋼矢板構造体を形成する。各孔あき鋼板の孔にＪ字形のアンカー鉄筋を掛着し、手前側に向けて水平に保持する。場所打ちコンクリートを打設してフーチングを形成する。これにより、アンカー鉄筋はＵ形鋼矢板にスタッド溶接する必要が無くなり、溶接だれの心配が無くなる。そのため、太いアンカー鉄筋を使えば、アンカー鉄筋の必要本数が減る。特に奥側のＵ形鋼矢板に対する作業性が向上する。アンカー鉄筋をフーチング鉄筋よりも内側まで届かせることが容易になるとしている。
【先行技術文献】
【特許文献】
【０００７】
【特許文献１】特開2000-129696号公報
【特許文献２】特開2007-32065号公報
【特許文献３】特開2007-303099号公報
【特許文献４】特開2006-57250号公報
【特許文献５】特開2006-57251号公報
【特許文献６】特開2006-57252号公報
【発明の開示】
【発明が解決しようとする課題】
【０００８】
特許文献１〜６に開示された発明はいずれも以下に示すような問題点を有している。
＜特許文献１の発明＞
特許文献１に開示された発明においては、矢板とフーチングを構成する鉄筋を連結して一体化させるとしているが、具体的な記述が無く、どのようにして行うかが不明である。さらに、大きな曲げモーメントが作用する橋脚下部とフーチングの結合部に従来と変わらず工夫が無く、基礎部の水平荷重に対する剛性は向上しているが、橋脚を含めた全体挙動として耐震性が向上しているとはいえない。全体の耐震性を向上させるには、橋脚を大きくして、それに伴いフーチングも大きくする必要があり、コストがかかり、施工スペースも増大する。
【０００９】
＜特許文献２の発明＞
特許文献２に開示された発明においては、薬液注入することを必須の要件としているが、薬液を注入した場合、地盤によっては所定の強度を得られないなど不確定要素が大きく、鋼矢板にリブなどを設けないと改良体との一体化を図るのは難しい。
また、薬液注入は、地下水汚染などの懸念も生じる。さらに、特許文献１と同様に、橋脚基部の剛性をあげるためには、フーチングを大きくする必要があり、コストがかかり、施工スペースも増大する。
【００１０】
＜特許文献３の発明＞
特許文献３に開示された発明においては、杭と鋼矢板を継手で接続しているが、この継手は、両者を一体化して耐震性を有するに十分な剛性や強度が必要である。このような剛性や強度を得るために継手部にモルタル等を充填することも考えられるが、モルタル等を充填するのは非常に手間であり、またコストもかかる。また、鋼矢板に取り付けた連結材でフーチングとの一体化はできるが、橋脚とフーチングの接合構造は従来通りであり、特許文献１と同じ問題点を有する。
【００１１】
＜特許文献４、５、６の発明＞
特許文献４〜６の発明においては、孔あき鋼板の孔にＪ字形のアンカー鉄筋を掛着するとしているが、フーチングコンクリートにはコンクリートの割裂を防止するために多量のアンカー鉄筋が必要となる。
特許文献４〜６の発明は、そもそも杭との連成を想定しない直接基礎を対象としている。そのため、杭基礎に対応するためには、杭および鋼矢板の力学的役割および杭、鋼矢板、フーチング間の力の伝達機構を明確化した上で、力学的に成立する構成を考える必要がある。例えば、杭をフーチング内に定着させるためには、別途、接合のための多量の鉄筋およびずれ止めが必要となる。単純に足し算で付加すれば、鉄筋量が多くなって輻輳しコンクリートの施工性が悪くなり、結果として、フーチングの大型化にも繋がる。
【００１２】
本発明はかかる課題を解決するためになされたものであり、仮設として用いられてきた矢板を本設として用いることで構造物全体としての耐震性を向上すると共に、コンパクトな基礎構造を提供することを目的としている。
【課題を解決するための手段】
【００１３】
（１）本発明に係る基礎構造は、杭と該杭の上部を囲むように設置された複数の鋼製矢板とを備え、該鋼製矢板で囲まれた空間にフーチングコンクリートを打設してなる基礎構造であって、
前記鋼製矢板の内面に設けた係止部材と、該係止部材に係止して前記鋼製矢板の内周方向に沿うように設けられ、前記各鋼製矢板の連結を強化する連結強化部材とを備えたことを特徴とするものである。
【００１４】
（２）また、上記（１）に記載のものにおいて、係止部材は縦方向に複数の孔を有する孔あきジベルであり、連結強化部材は前記孔あきジベルの孔に挿通されたワイヤーであることを特徴とするものである。
【００１５】
（３）また、上記（２）に記載のものにおいて、前記孔あきジベルに前記ワイヤーを螺旋状になるように挿通したことを特徴とするものである。
【００１６】
（４）また、上記（２）又は（３）に記載のものにおいて、前記孔あきジベルは、該孔の周壁側から前記孔へ前記ワイヤーの挿入を可能にする通路を有していることを特徴とするものである。
【００１７】
（５）また、上記（２）乃至（４）のいずれかに記載のものにおいて、ワイヤーはパラレルワイヤーであることを特徴とするものである。
【００１８】
（６）また、上記（１）乃至（５）のいずれかに記載のものにおいて、鋼製矢板で形成される基礎構造の平面形状が円形であることを特徴とするものである。
【発明の効果】
【００１９】
本発明においては、鋼製矢板の内面に設けた係止部材と、該係止部材に係止して前記鋼製矢板の内周方向に沿うように設けられ、前記各鋼製矢板の連結を強化する連結強化部材とを備えたことにより、連結強化部材によって各鋼製矢板の連結が強化され、鋼製矢板からの面圧としてフーチングコンクリートを拘束し、効率的にフーチングコンクリートの深さ方向のひび割れが抑制され構造物全体としての耐震性を向上する。また、このような状態のコンクリート内に橋脚及び杭の一端を埋め込めば、周囲のコンクリートの密着性が保持されるため橋脚及び杭の端部を強固に定着でき、定着長を短くすることが可能となり、フーチングのコンパクト化が実現できる。
【図面の簡単な説明】
【００２０】
【図１】本発明の一実施の形態にかかる基礎構造の説明図である。
【図２】図１の矢視Ａ―Ａ線に沿う水平断面図である。
【図３】本発明の一実施の形態にかかる基礎構造に用いる構成部材（鋼矢板、孔あき鋼板ジベル）の説明図である。
【図４】本発明の一実施の形態にかかる基礎構造に用いる構成部材（鋼矢板）の説明図である。
【図５】本発明の一実施の形態にかかる基礎構造に用いる構成部材（孔あき鋼板ジベル）の説明図である。
【図６】本発明の一実施の形態にかかる基礎構造に用いる構成部材（パラレルワイヤー）の設置方法の説明図である。
【図７】本発明の一実施の形態にかかる基礎構造に用いる構成部材（パラレルワイヤー）の説明図である。
【図８】本発明の一実施の形態にかかる基礎構造に用いる構成部材（鉄筋）の施行方法の説明図である。
【図９】本発明の一実施の形態である基礎構造の施工手順の説明図である。
【図１０】本発明の一実施の形態である基礎構造の施工手順の説明図である。
【図１１】本発明の一実施の形態である基礎構造の施工手順の説明図である。
【図１２】本発明の一実施の形態である基礎構造の施工手順の説明図である。
【図１３】本発明の一実施の形態である基礎構造の施工手順の説明図である。
【発明を実施するための形態】
【００２１】
本実施の形態に係る基礎構造は、鋼管橋脚１の基礎構造であって、図１、図２に示すように、地中に打設された鋼管杭３と、鋼管杭３の上部を囲むように設置された複数の鋼矢板５とを備え、鋼矢板５で囲まれた空間にフーチングコンクリート７を打設してなり、各鋼矢板５の内面に設けた孔あき鋼板ジベル９と、孔あき鋼板ジベル９の孔１１に螺旋状に挿通されて各鋼矢板５の連結を強化するパラレルワイヤー１３とを備えている。
以下、各構成を詳細に説明する。
【００２２】
＜鋼管杭＞
鋼管杭３は、図１、図２に示すように、所定の間隔を離して４本施工されている。なお、図１、図２に示す例では鋼管杭３の数は４本であるが、その数や配置はフーチングに適合させる等により適宜変更できる。
鋼管杭３の支持形態としては、先端を強固な支持層や中間層に止めてもよく、摩擦杭として軟弱層に止めてもよい。
また、鋼管杭は本発明の杭の一態様であるが、本発明の杭の種類としては、鋼管杭の他、場所打ち杭、既製コンクリート杭などどのような種類の杭を適用してもよい。
【００２３】
＜鋼矢板＞
鋼矢板５は、図３に示すように、ハット形のもので両端部に継手５ａを有している。そして、両端部の継手５ａを連結することによって、図２に示すように、平面視で略円形になっている。なお、鋼矢板５同士を連結するに際して、一般的な鋼矢板５に形成されている継手５ａ同士を連結してもよいが（図４参照）、鋼矢板５を連結して形成する形状によって、一般的な鋼矢板５に形成されている継手５ａと継手５ａの間に別途継手５ａ相互を連結する付属的な継手を介在させてもよい。
なお、鋼矢板５は本発明の鋼製矢板の一態様であるが、本発明の鋼製矢板は鋼矢板５の他に鋼管矢板を含む。
【００２４】
＜孔あき鋼板ジベル＞
孔あき鋼板ジベル９は、図２に示すように、各鋼矢板５を円形に連結したときに内面側になる面に接合されている。孔あき鋼板ジベル９は、図１、図３に示すように、矩形状の板材からなり、縦方向に複数の孔１１が形成されている。
各孔あき鋼板ジベル９の孔１１の位置は、縦方向に少しずつずらして設けられており、孔１１に挿通するパラレルワイヤー１３を螺旋状に設置できるようにしている。
もっとも、各鋼矢板５に設置する各孔あき鋼板ジベル９は、すべて同じ位置に孔１１を設けてもよく、その場合には、パラレルワイヤー１３を同じ高さ位置の孔１１に挿通させてリング状にすればよい。
【００２５】
孔あき鋼板ジベル９は、図５に示すように、各孔１１の周壁側から孔１１へパラレルワイヤー１３の挿入を可能にする通路１２を設けるようにしてもよい。なお、孔１１に挿入したパラレルワイヤー１３が孔１１から出ることなく孔１１の周壁に係止させるために、通路１２の幅は孔１１の径よりも小さくする。通路１２を設けることにより、ワイヤーの設置が容易になる。
孔あき鋼板ジベル９の孔１１の周壁に通路１２を設け、かつ隣接して設置されるもの同士で上下方向に少しずつずらして設けるようにしておけば、以下のようにパラレルワイヤー１３の設置を極めて簡単に行うことが可能になる。
螺旋状に巻かれたパラレルワイヤー１３を、円形に連結された鋼矢板５の内面側に挿入する。そして、パラレルワイヤー１３を螺旋と反対方向に捻ることで、螺旋の径を広げ、その状態で、パラレルワイヤー１３を、通路１２を介して孔１１に入れていく。このようにすることで、施行が容易で、かつ孔１１に入れた状態ではパラレルワイヤー１３が縮まろうとすることで、各鋼矢板５を拘束する。
【００２６】
孔あき鋼板ジベル９は、本発明の係止部材の一態様であるが、係止部材としては、他の態様であってもよく、要するに鋼矢板５の内面側に設けられて、鋼矢板５同士の連結を強化するワイヤー等の連結強化部材を止めることができるものであればよい。
なお、孔あき鋼板ジベル９は、パラレルワイヤー１３を止める係止部材としての機能に加えて、フーチングコンクリート７と鋼矢板５とを接合するジベル（ずれ止め）として機能するので、より好ましい。
【００２７】
＜パラレルワイヤー＞
パラレルワイヤー１３は、孔あき鋼板ジベル９の孔１１に螺旋状に挿通されて（図６参照）各鋼製矢板の連結を強化するものである。パラレルワイヤー１３は、図７に示すように、複数本の鋼線が束ねられてなるものであり、通常のワイヤーのように捩られていないので、張力が作用したときにも緩みが少ない。そのため、鋼矢板５で囲まれた空間にフーチングコンクリート７を打設したときに、鋼矢板５で形成された円筒体が膨らもうとしたときに、それに対して効果的に抵抗し、結果としてフーチングコンクリート７に対する拘束力が高い。
【００２８】
パラレルワイヤー１３に代えて通常のワイヤーや鉄筋１７を施行してもよい。鉄筋１７を施行する場合には、鋼矢板５で囲まれた略円筒と同じ曲率で鉄筋１７を予め曲げ加工しておく必要がある。鉄筋１７を孔あき鋼板ジベル９に挿入する場合には、図８に示すように、各孔１１に複数本入れるようにするのが望ましい。
なお、鉄筋１７を用いる場合においては、鉄筋１７は周方向に連続したものでなくてもよい。例えば複数の鉄筋１７を繋ぎ目で所定長さ重なるように配置すれば、重なり合う鉄筋同士がフーチングコンクリート７を介して接続され、鉄筋１７自体が連続しているのと同様の効果が得られる。
パラレルワイヤー１３は螺旋状に設置してもよいし、リング状に設置してもよい。
【００２９】
上記のように構成された本実施の形態においては、孔あき鋼板ジベル９の孔１１に螺旋状に挿通されたパラレルワイヤー１３によって各鋼矢板５の連結が強化され、パラレルワイヤー１３が横拘束筋の役割を果たし、しかもパラレルワイヤー１３の拘束力は鋼矢板５に伝達され、鋼矢板５からの面圧としてフーチングコンクリート７を拘束する。その結果、フーチングコンクリート７への拘束は均一に行われ、これにより、効率的にフーチングコンクリート７の深さ方向のひび割れが抑制されかつ周方向の膨張が押さえられる。
【００３０】
このような状態のコンクリート内に鋼管橋脚１及び鋼管杭３の一端を埋め込めば、周囲のコンクリートの密着性が保持されるため鋼管橋脚１及び鋼管杭３の端部を強固に定着できる。強固に定着できれば、定着長を短くすることが可能となり、フーチングのコンパクト化に繋がる。
また、鋼矢板５とフーチングコンクリート７とは、孔あき鋼板ジベル９とこの孔１１に挿通させたパラレルワイヤー１３がシアコネクタの役目を兼ねるにより、一体化される。その結果、フーチングコンクリート７は深さ方向にも拘束され、フーチングコンクリート７の周方向のひび割れも抑制される。なお、鋼矢板５もフーチングコンクリート７と一体化されるため、座屈耐荷力が向上する。
【００３１】
上記のように本発明においては、鋼管橋脚１、フーチング、鋼管杭３、鋼矢板５が一体化されるため、それぞれの部材剛性に応じて、作用力を分担することが可能となる。すなわち、鋼管杭３の支持力を鋼矢板５が一部分担したり、杭頭部に作用する過大な曲げモーメントを鋼矢板５が低減させたりできる。したがって、基礎の支持力ばかりでなく基礎部の水平荷重に対する耐荷性とともに剛性も向上し、構造物全体挙動としての耐震性が向上する。また、土壌１９への薬液注入の必要がないため、地下水汚染などの懸念も生じない。
【００３２】
また、鋼管橋脚１と鋼管杭３と鋼矢板５は直接相互に干渉せずコンクリートを介して一体化されるため、施工誤差を吸収する余地がある。そのため、相互の接続に要する手間を省力化できるとともに、ミリ単位の施工精度を確保する必要がないため、施工期間の短縮が可能となる。また、鋼材同士の溶接量が減少するため、鋼部材の加工コストを縮減できる。
【００３３】
なお、本実施の形態に係る基礎構造の諸元については、対象構造物とその規模に応じて種々異なるが、図１、図２に示した橋脚基礎構造の寸法の一例を示せば、次の通りである。
鋼管橋脚１は外径2.5mで板厚25mm、フーチングの外径は6.2m、フーチングの厚さは3.8m、4本の鋼管杭３は外径1.2mで板厚40mm、鋼矢板５の形状は幅900mm高さ230mm板厚10.8mmである。
鋼矢板５に設置する孔あき鋼板ジベル９は150mm×25mmの断面で、孔径50mmが200mmピッチで設けられている。フーチングの厚さは3.8mで鋼管橋脚１が3.75m、鋼管杭３が1.8mフーチング内に埋め込まれている。パラレルワイヤー１３はPWS19である。コンクリートは、鋼矢板５で囲まれた円筒内、および鋼管杭内（杭頭部のみ）、ならびに鋼管橋脚内地上2mより下方に充填している。
【００３４】
次に、図１、図２に示した基礎構造の施行方法を、図９〜図１３に基づいて説明する。
地中に鋼管杭３と鋼管杭３を囲むように鋼矢板５を施工する（図９参照）。そして、鋼矢板５で囲まれた略円筒内の土壌１９をフーチング底面位置まで掘削する（図１０参照）。
土壌１９を掘削すると、鋼矢板５に設置された孔あき鋼板ジベル９がフーチング厚さの範囲に現れる。土壌掘削後、孔あき鋼板ジベル９の孔１１にパラレルワイヤー１３を挿通させて鋼矢板５が周方向に膨らまないように拘束する（図１１参照）。このときパラレルワイヤー１３一束を螺旋状に各鋼矢板５の孔あき鋼板ジベル９の孔１１に挿通させる、あるいはパラレルワイヤー１３を複数段リング状に各鋼矢板５の孔あき鋼板ジベル９の孔１１に挿通させる。
その後、略円筒中央に鋼管橋脚１を建て込み、コンクリートを鋼矢板５で囲まれた略円筒内、および鋼管杭３内、ならびに鋼管橋脚１内に充填する（図１２参照）。
最後に、フーチング上に土壌１９を被せる（図１３参照）。
【符号の説明】
【００３５】
１  鋼管橋脚                    ３  鋼管杭                      ５  鋼矢板
５ａ  継手                        ７  フーチングコンクリート      ９  孔あき鋼板ジベル
１１  孔                        １３  パラレルワイヤー          １７  鉄筋
【図１】
2010261253.tif 000003
【図２】
2010261253.tif 000004
【図３】
2010261253.tif 000005
【図４】
2010261253.tif 000006
【図５】
2010261253.tif 000007
【図６】
2010261253.tif 000008
【図７】
2010261253.tif 000009
【図８】
2010261253.tif 000010
【図９】
2010261253.tif 000011
【図１０】
2010261253.tif 000012
【図１１】
2010261253.tif 000013
【図１２】
2010261253.tif 000014
【図１３】
2010261253.tif 000015